(57)【要約】【課題】出走表に変化が生じた場合にも、着順/通過順位番号の入力チェックを正しく行うことを目的とする。【解決手段】本発明の着順/通過順位番号入力チェック方法は、オンライン接続されたセンタからレース番号に対応したレース直前の出走番号を示す出走表情報を取得する第１処理と、レース情報に基づいてレース番号毎に入力される到着順位/通過順位毎の出走番号が出走表情報に含まれていない場合は、入力された出走番号を廃棄する第２処理と、を有している。これにより、出走表に変化が生じた場合にも、着順/通過順位番号の入力チェックを正しく行うことが可能になる。【選択図】図５
2016133983.tif 000002
【特許請求の範囲】
【請求項１】
オンライン接続されたセンタからレース番号に対応したレース直前の出走番号を示す出走表情報を取得する第１処理と、
レース情報に基づいてレース番号毎に入力される到着順位/通過順位毎の出走番号が前記出走表情報に含まれていない場合は、入力された出走番号を廃棄する第２処理と、
を有することを特徴とする着順/通過順位番号入力チェック方法。
【請求項２】
前記第２処理は、
前記到着順位/通過順位毎の出走番号が前記出走表情報に含まれているか否かをチェックするチェック処理と、
入力された前記出走番号が前記出走表情報に含まれている場合は着順/通過順情報を出力し、入力された前記出走番号が前記出走表情報に含まれていない場合に入力された前記出走番号を廃棄する出力廃棄処理と、
からなることを特徴とする請求項１に記載の着順/通過順位番号入力チェック方法。
【請求項３】
前記出力廃棄処理は、更に、
入力された出走番号を廃棄する場合に、入力された当該出走番号が誤入力であることを通知する誤入力通知処理を有することを特徴とする請求項２に記載の着順/通過順位番号入力チェック方法。
【請求項４】
前記チュック処理は、
前記到着順位/通過順位毎の出走番号が前記出走表情報における出走取消の馬番と一致するか否かもチュックし、
前記出力廃棄処理は、
前記出走番号が前記出走取消の馬番と一致する場合に入力された前記出走番号を廃棄することを特徴とする請求項２に記載の着順/通過順位番号入力チェック方法。
【請求項５】
オンライン接続されたセンタからレース番号に対応したレース直前の出走番号を示す出走表情報を取得する出走表情報取得手段と、
レース情報に基づいてレース番号毎の到着順位/通過順位毎の出走番号の入力を受付ける入力受付手段と、
入力された前記出走番号が前記出走表情報に含まれるか否かを判定する出走判定手段と、
入力された当該出走番号が前記出走表情報に含まれている場合に着順/通過順情報を出力する着順/通過順情報出力手段と、
入力された当該出走番号が前記出走表情報に含まれていない場合に入力された前記出走番号を廃棄する出走番号廃棄手段と、
を備えることを特徴とする着順/通過順位番号入力チェック装置。
【請求項６】
レース番号に対応したレースの出走番号を示す出走表情報を提供するセンタと、
レース情報に基づいてレース番号毎の到着順位/通過順位毎の出走番号の入力を受付ける着順/通過順位入力卓と、
前記着順/通過順位入力卓から入力が受付られた前記出走番号が前記出走表情報に含まれている場合は着順/通過順情報を出力し、入力された前記出走番号が前記出走表情報に含まれていない場合に入力された前記出走番号を廃棄する制御装置と、
前記制御装置が出力する前記着順/通過順情報を表示する着順表示盤と、
を備えることを特徴とする着順/通過順位表示システム。
【発明の詳細な説明】
【技術分野】
【０００１】
本発明は、着順/通過順位番号入力チェック方法、着順/通過順位番号入力チェック装置及び着順/通過順位表示システムに関する。
【背景技術】
【０００２】
公営競技の投票を集計するトータリゼータシステムにおいて、変化するオッズ情報をファンにリアルタイムで提供する様々なシステムが提案されている（下記特許文献１参照）。このオッズ情報等は、トータリゼータシステムに接続されている着順システムにて専門係員により入力される着順/通過順位番号等に基づいて算出されている。
【先行技術文献】
【特許文献】
【０００３】
【特許文献１】特開２００６−２０９２９３号公報
【発明の概要】
【発明が解決しようとする課題】
【０００４】
現行のトータリゼータシステムに接続される着順システムは、出走表は変化しない情報として、馬番号は固定の最大値に設定されており、専門係員による着順/通過順位番号の入力は正しいことが前提となっている。一方、実際には、１日に行われる複数のレースにおける出走数は、レース毎に可変する。又、各レースにおいても急遽出走取消が発生し、レースに参加しない馬番号が存在することもある。ところが、現行の着順システムでは、各レースで実際には存在しない馬番号が入力されたとしても、馬番号が設定されている最大値の範囲内であれば、正しい入力であると誤判定されてしまうおそれがあった。
【０００５】
そこで、本発明は、出走表に変化が生じた場合にも、着順/通過順位番号入力チェックを正しく行うことが可能な着順/通過順位番号入力チェック方法、着順/通過順位番号入力チェック装置及び着順/通過順位表示システムを提供することを目的とする。
【課題を解決するための手段】
【０００６】
本発明の第１側面の着順/通過順位番号入力チェック方法は、オンライン接続されたセンタからレース番号に対応したレース直前の出走番号を示す出走表情報を取得する第１処理と、レース情報に基づいてレース番号毎に入力される到着順位/通過順位毎の出走番号が前記出走表情報に含まれていない場合は、入力された出走番号を廃棄する第２処理と、を有することを特徴とする。
【０００７】
第２側面の着順/通過順位番号入力チェック装置は、オンライン接続されたセンタからレース番号に対応したレース直前の出走番号を示す出走表情報を取得する出走表情報取得手段と、レース情報に基づいてレース番号毎の到着順位/通過順位毎の出走番号の入力を受付ける入力受付手段と、入力された前記出走番号が前記出走表情報に含まれるか否かを判定する出走判定手段と、入力された当該出走番号が前記出走表情報に含まれている場合に着順/通過順情報を出力する着順/通過順情報出力手段と、入力された当該出走番号が前記出走表情報に含まれていない場合に入力された前記出走番号を廃棄する出走番号廃棄手段と、を備えることを特徴とする。
【０００８】
第３側面の着順/通過順位表示システムは、レース番号に対応したレースの出走番号を示す出走表情報を提供するセンタと、レース情報に基づいてレース番号毎の到着順位/通過順位毎の出走番号の入力を受付ける着順/通過順位入力卓と、前記着順/通過順位入力卓から入力が受付られた前記出走番号が前記出走表情報に含まれている場合は着順/通過順情報を出力し、入力された前記出走番号が前記出走表情報に含まれていない場合に入力された前記出走番号を廃棄する制御装置と、前記制御装置が出力する前記着順/通過順情報を表示する着順表示盤と、を備えることを特徴とする。
【発明の効果】
【０００９】
本発明の着順/通過順位番号入力チェック方法は、オンライン接続されたセンタからレース番号に対応した当該レース直前の出走番号を示す出走表情報を取得する第１処理と、レース情報に基づいてレース番号毎に入力される到着順位/通過順位毎の出走番号が前記出走表情報に含まれていない場合は、入力された出走番号を廃棄する第２処理と、を有している。これにより、出走表に変化が生じた場合にも、着順/通過順位番号入力チェックを正しく行うことが可能になる。
【図面の簡単な説明】
【００１０】
【図１】本発明の実施形態の着順/通過順位表示システムを示すシステム構成図
【図２】図１中の制御装置１０の概略を示す機能ブロック図
【図３】図２中の出走表テーブル１２ａの一例を示す図
【図４】従来の着順/通過順位表示システムの処理を示すフローチャート
【図５】本発明の実施形態の着順/通過順位表示システムの処理を示すフローチャート
【発明を実施するための形態】
【００１１】
以下に本発明の実施形態について図面を参照しながら詳細に説明する。
【００１２】
（実施形態の構成）
図１は、本発明の実施形態の着順/通過順位表示システムを示すシステム構成図である。
【００１３】
本発明の着順/通過順位表示システムは、センタ１と、センタ１とネットワーク３を介して通信線２で接続された制御装置１０と、制御装置１０と通信線２で接続された着順表示盤２０と、を有している。
【００１４】
センタ１は、トータリゼータシステムで扱う情報の収集、オッズ情報の演算提供等を行うものであり、特に、レース番号に対応したレースの出走番号を示す出走表情報を提供するものである。
【００１５】
制御装置１０は、着順/通過順位番号入力チェック装置であり、オンライン接続されたセンタ１からレース番号に対応したレース直前の出走番号を示す出走表情報を取得し、レース情報に基づいてレース番号毎の到着順位/通過順位毎の出走番号の入力を受付け、入力された出走番号がレース直前の出走表情報に含まれるか否かを判定し、入力された出走番号がレース直前の出走表情報に含まれている場合に着順/通過順情報を出力し、入力された出走番号がレース直前の出走表情報に含まれていない場合に入力された出走番号を廃棄する装置である。制御装置１０は、空調設備の整った計算機室等に設置されている。
【００１６】
制御装置１０には、専門係員がレース情報に基づいて入力するレース番号毎の通過順位毎の出走番号を受付ける通過順位入力卓５と、専門係員がレース情報に基づいて入力するレース番号毎の到着順位毎の出走番号を受付ける着順入力卓７とが通信線２で接続されている。そして、通過順位入力卓５及び着順入力卓７には、入力結果を画面で確認する着順モニタ６及び８がそれぞれ接続されている。尚、通過順位入力卓５、着順入力卓７、着順モニタ６及び８は、レース状況を観測して、通過順位や着順を入力する専門係員が居るビルの高層階に設けられた決勝審判室内に設置されている。
【００１７】
着順表示盤２０は、屋外に設置され、制御装置１０から入力される着順/通過順情報に基づいて、レース中の時々刻々と変化する通過順位情報及びレース終了後の着順情報をファンに知らせる装置であり、例えば、電光掲示板等である。着順表示盤２０には、例えば、レース番号：１２Ｒ、１着から５着までの馬番が４番、８番、１６番、１１番及び３番と表示されている。
【００１８】
図２は、図１中の制御装置１０の概略を示す機能ブロック図である。
着順/通過順位番号入力チェック装置としての制御装置１０は、ネットワーク３を介した通信のためのインタフェースであるＮＷインタフェース１１と、出走表情報取得手段１２と、入力卓インタフェース１３と、入力受付手段１４と、出走判定手段１５と、着順/通過順位出力手段１６と、出走番号廃棄手段１７と、を有している。
【００１９】
出走表情報取得手段１２は、センタ１から最新の出走表情報を取得し、出走表テーブル１２ａを最新の出走表情報により更新する機能を有している。入力卓インタフェース１３は、通過順位入力卓５及び着順入力卓７から入力される通過順位情報及び着順情報を入力受付手段１４へ出力するインタフェースである。入力受付手段１４は、入力卓インタフェース１３から入力される通過順位情報及び着順情報を受け付けて出走判定手段１５へ出力する。
【００２０】
出走判定手段１５は、入力受付手段１４から通過順位情報又は着順情報が入力されると、出走表テーブル１２ａから最新の出走表情報を取得し、通過順位情報又は着順情報中の出走番号が最新の出走表情報に含まれているか否かを判定し、含まれている場合は、通過順位情報又は着順情報を着順/通過順位出力手段１６へ出力し、含まれない場合は、通過順位情報又は着順情報を廃棄する旨の信号を出走番号廃棄手段１７へ出力する。
【００２１】
着順/通過順位出力手段１６は、入力される通過順位情報又は着順情報を表示フォーマットに合わせたデータに変換して着順表示盤２０へ出力する。出走番号廃棄手段１７は、通過順位情報又は着順情報を廃棄する旨の信号が入力されると、入力卓インタフェース１３を介して、通過順位入力卓５及び着順入力卓７に誤入力であることを知らせる。通過順位入力卓５及び着順入力卓７は、それぞれに接続された着順モニタ５及び７に、誤入力であることを知らせる表示を行う。
【００２２】
図３は、図２中の出走表テーブル１２ａの一例を示す図であり、１２レースのレース毎の出走頭数と各馬番詳細情報がこのテーブルにより管理されている。各馬番詳細情報は、各馬番の詳細な情報であり、図３中の「○」は、出走登録あり、「×」は、出走取消、「−」は、出走登録なしを表している。
【００２３】
１レースは、出走頭数１２頭で、１番〜１２番の全ての馬番が出走登録されている。２レースは、出走頭数８頭で、１番〜８番の馬番が出走登録されているが、９番〜１２番の馬番は出走登録されていない。
【００２４】
３レースは、出走頭数９頭で、馬番２番の出走が取消されている。当初、３レースは、１番〜９番の馬番が出走登録されていたが、センタ１から取得した情報により、レース前に出走が取消された馬番２番の情報が反映されている。以下、同様に、各レース毎の各馬詳細情報がセンタ１から取得した最新の情報が反映されるようになっている。
【００２５】
（実施形態の動作）
本発明の実施形態の着順/通過順位表示システムの動作について、（Ｉ）従来のシステムの処理と、（II）本発明のシステムの処理と、に分けて説明する。
【００２６】
（Ｉ）従来のシステムの処理
従来の図示しない制御装置５０は、図２と機能が同様の入力卓インタフェース１３、入力受付手段１４、着順/通過順位出力手段１６、及び出走番号廃棄手段１７と、図２とは機能が異なる図示しない出走表情報入力手段６２と、図示しない出走表判定手段６５と、を有している。
【００２７】
出走表情報入力手段６２は、その日に開催されるレース中の最大頭数を入力して設定する手段であり、最大頭数が入力設定されるとその日の全レースが終了するまで設定最大頭数は一定に保たれる。
【００２８】
出走表判定手段６５は、入力受付手段１４から入力された馬番が最大頭数以下であるか否かを判定し、入力された馬番が最大頭数以下であれば着順／通過順位出力手段１６へ通過順位情報及び着順情報を出力し、入力された馬番が最大頭数以下でなければ、通過順位情報又は着順情報を廃棄する旨の信号を出走番号廃棄手段１７へ出力する。
【００２９】
図４は、従来の着順/通過順位表示システムの処理を示すフローチャートである。
先ず、図４に示されたフローチャートに沿って、従来のシステムの処理について説明する。
【００３０】
処理が開始されると、ステップＳ１へ進み、出走表情報入力手段６２により、その日に開催されるレースの内、出走頭数の最大頭数が設定読み込みされ、ステップＳ２へ進む。例えば、図３を例にとると、最大頭数は１２となる。
【００３１】
ステップＳ２において、Ａ＝最大頭数、例えば、１２とし、ステップＳ３へ進む。ステップＳ３において、システムの運用が終了か否かが判断され、終了でなければ（Ｎｏ）、ステップＳ４に進み、終了であれば（Ｙｅｓ）、処理を終了する。例えば、その日に開催されるレースが１２レースであり、現在開催されているレースが８レース目であれば、システムの運用は終了でないのでステップＳ４へ進む。
【００３２】
ステップＳ４において、馬番が入力されると（Ｙｅｓ）、ステップＳ５へ進み、所定時間が経過しても馬番が入力されない場合は（Ｎｏ）、ステップＳ３へ戻る。ステップＳ５に進むと、馬番が所定の記憶領域に格納され、ステップＳ６へ進む。例えば、馬番が１０であれば、Ｂ＝１０となる。
【００３３】
ステップＳ６において、出走判定手段６５により、入力された馬番Ｂが最大頭数Ａ以下であるか否かが判定され、馬番Ｂが最大頭数Ａ以下であれば（Ｙｅｓ）、ステップＳ７へ進み、馬番Ｂが最大頭数Ａ以下でなければ（Ｎｏ）、ステップＳ８へ進む。
【００３４】
ステップＳ７において、着順／通過順位出力手段１６は、着順表示盤２０へ通過順位情報及び着順情報を出力し、着順表示盤２０には、レース番号と通過順位／着順毎の馬番が表示され、ステップＳ３へ戻る。ステップＳ８において、出走番号廃棄手段１７は、入力卓インタフェース１３を介して通過順位入力卓５及び着順入力卓７に、入力された馬番が誤入力である旨の警告を通知し、ステップＳ３へ戻る。
【００３５】
従来の着順/通過順位表示システムの処理では、最大頭数Ａを一日を通して固定値に設定しているため、レースにより最大頭数が変動したり、出走取消が発生しても、最大頭数の変動がステップＳ６の判定に反映されなかった。そのため、例えば、設定された最大頭数Ａ＝１２に対し、実際の出走頭数が８である場合、馬番９番が入力されると、ステップＳ６の馬番比較処理では、Ａ＝１２≧９となり、実際には存在しない９番の馬番を正しい入力であると誤判定して、通過順位情報及び着順情報を着順/通過順位出力手段１６へ出力してしまうおそれがあった。
【００３６】
（II）本発明のシステムの処理
図５は、本発明の実施形態の着順/通過順位表示システムの処理を示すフローチャートである。
【００３７】
図１〜図３を参照しつつ、図５に示されたフローチャートに沿って、本発明の実施形態の着順/通過順位表示システムの処理について説明する。
【００３８】
処理が開始されると、ステップＳ１１へ進み、センタ１より最新の出走表を受信し、ステップＳ１２へ進む。ステップＳ１２において、出走表情報取得手段１２は、出走表テーブル１２ａに各レースの出走頭数を格納し、ステップＳ１３へ進む。図３は、ある時点の最新の各レースの出走頭数が格納されている。例えば、図３には、第１レースの出走頭数１２、第２レースの出走頭数８、第３レースの出走頭数９と、各レースの出走頭数が格納されている。
【００３９】
ステップＳ１３において、その日の運用が終了かが判断され、終了でなければ（Ｎｏ）、ステップＳ１４へ進み、運用終了であれば（Ｙｅｓ）、その日の処理を終了する。
【００４０】
ステップＳ１４に進むと、通過順位入力卓５又は着順入力卓７から馬番入力が入力されるのを待って（Ｎｏ）、馬番入力が有ると（Ｙｅｓ）、ステップＳ１５へ進む。ステップＳ１５において、出走判定手段１５に、現在のレース番号が格納され、ステップＳ１６へ進む。例えば、現在のレース番号は、専門委員が着順入力卓より入力されることにより決定される。
【００４１】
ステップＳ１６において、出走表テーブル１２ａにおける現在のレース番号の出走頭数をＡとして出走判定手段１５へ格納し、ステップＳ１７へ進む。図３において、例えば、現在のレース番号が２であれば、Ａ＝出走頭数８となる。
【００４２】
ステップＳ１７において、入力受付手段１４から入力された馬番をＢとして出走判定手段１５へ格納し、ステップＳ１８へ進む。
【００４３】
ステップＳ１８において、出走判定手段１５は、馬番範囲を比較する。即ち、Ａ≧Ｂであるか否かが判定され、Ａ≧Ｂであれば（Ｙｅｓ）、ステップＳ１９へ進み、Ａ≧Ｂでなけれれば（Ｎｏ）、ステップＳ２２へ進む。例えば、第２レースの出走頭数Ａ＝８に対し、馬番Ｂ＝６が入力された場合には、Ａ＝８≧Ｂ＝６であるので（Ｙｅｓ）、ステップＳ１９へ進む。又、第２レースの出走頭数Ａ＝８に対し、馬番Ｂ＝９が入力された場合には、Ａ≧Ｂでないので（Ｎｏ）、ステップＳ２２へ進む。
【００４４】
ステップＳ１９において、出走表判定手段１５は、出走表テーブル１２ａにおける現在のレース番号の各馬番詳細情報を参照し、ステップ２０へ進む。ステップＳ２０において、馬番Ｂが出走取消か否かが判定され、馬番Ｂが出走取消でない場合は（Ｎｏ）、ステップＳ２１へ進み、馬番Ｂが出走取消の場合は（Ｙｅｓ）、ステップＳ２２へ進む。
【００４５】
ステップＳ２１において、着順／通過順位出力手段１６は、着順表示盤２０へ通過順位情報及び着順情報を出力し、着順表示盤２０には、レース番号と通過順位／着順毎の馬番が表示され、ステップＳ１３へ戻る。
【００４６】
一方、ステップＳ１８で「Ｎｏ」又はステップＳ２０で「Ｙｅｓ」の場合は、ステップＳ２２へ進み、出力番号廃棄手段１７が、入力卓インタフェース１３を介して、通過順位入力卓５及び着順入力卓７に、入力された馬番が誤入力である旨の警告を通知した上で、入力された出走番号の出力を廃棄し、ステップＳ１３へ戻る。尚、誤入力である旨の警告を通知せず、廃棄することにしてもよい。
【００４７】
（実施形態の効果）
本発明の着順/通過順位番号入力チェック方法、着順/通過順位番号入力チェック装置及び着順/通過順位表示システムによれば、オンライン接続されたセンタからレース番号に対応した当該レース直前の出走番号を示す出走表情報を取得し、最新の出走表情報により、入力馬番のチェックを行っている。これにより、入力馬番のチェックに、レース毎に変化する出走頭数及び出走取消の馬番が反映される。そのため、出走頭数がレース毎に変動する場合及び出走取消の馬番が発生した場合にも、着順/通過順位番号入力のチェックを正しく行うことが可能になる。
【００４８】
（変形例）
本発明の変形例として、以下の（ａ）、（ｂ）のようなものが考えられる。
（ａ）  本発明の実施形態の説明では、競馬を例にして説明したが、競馬以外の公営競技、例えば、競輪、競艇、オートレース等のトータリゼータシステムの着順/通過順位番号入力のチェックにも適用可能である。
（ｂ）  本発明の実施形態の着順/通過順位番号入力チェック装置としての制御装置１０の構成について、図２の機能ブロック図により説明したが、ハードウェアで構成しても、図示しないメモリに記憶したプログラムをＣＰＵ（中央演算処理装置：Central Processing Unit）に読み込ますことにより、図２の機能ブロックを実現するように構成しても良い。
【００４９】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００５０】
１                                      センタ
２                                      通信線
３                                      ネットワーク
５                                      通過順位入力卓
６，８                                  着順モニタ
７                                      着順入力卓
１０                                      制御装置
１１                                      ＮＷインタフェース
１２                                      出走表情報取得手段
６２                                      出走表情報入力手段
１２ａ                                    出走表テーブル
１３                                      入力卓インタフェース
１４                                      入力受付手段
１５，６５                                出走判定手段
１６                                      着順/通過順位出力手段
１７                                      出走番号廃棄手段
２０                                      着順表示盤
【図１】
2016133983.tif 000003
【図２】
2016133983.tif 000004
【図３】
2016133983.tif 000005
【図４】
2016133983.tif 000006
【図５】
2016133983.tif 000007